(57)【要約】【課題】バヨネット機構による操作パネルのドラム式洗濯機本体への取付けにおいて、その操作パネルのバヨネット機構解除方向へのスライドを合理的に防止することを目的とする。【解決手段】本体１前面に、衣類を投入する衣類投入口９と、その周縁を覆う環状の化粧部材１１と、バヨネット機構により取付けた操作パネル１２とを備え、操作パネル１２と化粧部材１１を円弧状に接合し、その接合によって操作パネル１２のバヨネット機構解除方向へのスライドを阻止する。これによって、洗濯動作時の回転ドラムの回転により振動が生じる場合においても、操作パネル１２は、化粧部材１１との円弧状の接合によりバヨネット機構解除方向へのスライドを阻止されるため、ネジ止めを必要とせずに本体に固定することができる。その結果、組立時の作業性を改善し、さらに低コスト化を図ることができる。【選択図】図１
2005143793.tif 000002
【特許請求の範囲】
【請求項１】
本体前面に、衣類を投入する衣類投入口と、前記衣類投入口の周縁を覆う環状の化粧部材と、バヨネット機構により取付けた操作パネルとを備え、前記操作パネルと前記化粧部材を円弧状に接合し、その接合によって前記操作パネルのバヨネット機構解除方向へのスライドを阻止するように構成したドラム式洗濯機。
【請求項２】
操作パネルと化粧部材との円弧状の接合部の両端間に円弧の頂点がくるように構成した請求項１記載のドラム式洗濯機。
【発明の詳細な説明】
【技術分野】
【０００１】
本発明は、洗濯機本体の前面に操作パネルを有するドラム式洗濯機に関するものである。
【背景技術】
【０００２】
従来の洗濯機において、電子部品を裏に備えた操作パネルは、洗濯機の前面にスライド固定により取付けられていた。操作パネルは本体に設けられた溝にスライドして固定するため、スライドする際には、操作パネルの裏に備え付けられた電子部品が本体に当たり邪魔になっていた（例えば、特許文献１参照）。
【０００３】
そこで、操作パネルをバヨネット機構を利用して本体に取付けられる構成が提案されていた。具体的には、操作パネル側に設けられたＬ字状の係止爪を本体側に設けられた穴に差込み、スライドさせ、この穴の縁に係止することによって、操作パネルを本体に取付けていた。
【特許文献１】特開平７−５９９８９号公報
【発明の開示】
【発明が解決しようとする課題】
【０００４】
しかしながら、上記従来の構成では、洗濯動作時の回転ドラムの回転により振動が生じるため、バヨネット機構による操作パネルの本体への取付けにおいては、振動による操作パネルのバヨネット機構解除方向へのスライドを防ぐために操作パネルをより固定しなければならず、バヨネット機構に加えてネジ止めをする必要があった。そのため、組立時におけるネジ止め作業が煩雑で、さらにネジ自体にコストがかかるという課題を有していた。
【０００５】
本発明は、このような従来の課題を解決したもので、バヨネット機構による操作パネルの本体への取付けにおいて、その操作パネルのバヨネット機構解除方向へのスライドを合理的に防止することを目的とする。
【課題を解決するための手段】
【０００６】
前記従来の課題を解決するために、本発明のドラム式洗濯機は、本体前面に、衣類を投入する衣類投入口と、前記衣類投入口の周縁を覆う環状の化粧部材と、バヨネット機構により取付けた操作パネルとを備え、前記操作パネルと前記化粧部材を円弧状に接合し、その接合によって前記操作パネルのバヨネット機構解除方向へのスライドを阻止するようにしたものである。
【０００７】
これによって、洗濯動作時の回転ドラムの回転により振動が生じる場合においても、操作パネルは、化粧部材との円弧状の接合によりバヨネット機構解除方向へのスライドを阻止されるため、ネジ止めを必要とせずに操作パネルを本体に固定することができる。その結果、組立時の作業性を改善し、さらに低コスト化を図ることができる。
【発明の効果】
【０００８】
本発明のドラム式洗濯機は、操作パネルと化粧部材を円弧状に接合することにより、洗濯動作時の回転ドラムの回転により振動が生じる場合においても、操作パネルは、化粧部材との円弧状の接合によりバヨネット機構解除方向へのスライドが阻止されるため、ネジ止めを必要とせずに操作パネルを本体に固定することができる。その結果、組立時の作業性を改善し、さらに低コスト化を図ることができる。
【発明を実施するための最良の形態】
【０００９】
第１の発明は、本体前面に、衣類を投入する衣類投入口と、その衣類投入口の周縁を覆う環状の化粧部材と、バヨネット機構により取付けた操作パネルとを備え、その操作パネルと前記化粧部材を円弧状に接合し、その接合によって操作パネルの横方向の変位を阻止するようにドラム式洗濯機を構成することにより、洗濯動作時の回転ドラムの回転により振動が生じても、操作パネルは、化粧部材との円弧状の接合によりバヨネット機構解除方向へのスライドが阻止されるため、ネジ止めを必要とせずに本体に操作パネルを固定することができる。その結果、組立時の作業性を改善し、さらに低コスト化を図ることができる。
【００１０】
第２の発明は、特に、第１の発明のドラム式洗濯機を、操作パネルと化粧部材との円弧状の接合部の両端間に円弧の頂点がくるように構成することにより、バヨネット機構が解除される方向が本体１の一方あるいは他方いずれの場合に対しても、それぞれ化粧部材の頂点他方向側あるいは一方向側の円弧により、操作パネルのスライドを防ぐため、操作パネルのスライド方向が制限されない利点がある。
【００１１】
以下、本発明の実施の形態について、図面を参照しながら説明する。なお、この実施の形態によって本発明が限定されるものではない。
【００１２】
（実施の形態１）
本発明の実施例について図１〜４を参照しながら説明する。前面をなだらかな上方後退曲面とした本体１の内部には、周壁に多数の孔２を有するとともに、複数のバッフル３を内周より突出させた回転ドラム４およびこの回転ドラムを内包した水槽５が配置してある。
【００１３】
本実施例のドラム式洗濯機の一応の動作を述べると、洗濯動作時には、水槽５下部に水をためておき、回転ドラム４を回転させる。回転ドラム４内に収納された衣類などはバッフル３で上方へ持ち上げられ、所定位置でこのバッフル３から解放されて水槽５に溜められた水面に落下するもので、いわゆる”たたき洗い”がなされるものである。
【００１４】
洗濯工程が完了するとすすぎ工程などを経て脱水工程に入る。この脱水工程において、水槽５の水は排水され、回転ドラム４が高速で回転される。したがって、衣類の水分は遠心力で周囲に飛散され、その後、回転ドラム４の孔２から水槽５に流出し、所定の排水経路６から廃棄されるようにしてある。
【００１５】
乾燥機能を併せもつものでは、脱水工程のあと、回転ドラム４を低速回転させつつ温風をその中に供給する。循環方式を採用したものでは、乾燥に供された後の高湿の空気が回転ドラム４の孔２から出て行き、次いで冷却されて除湿がなされる。除湿空気はヒータで加熱されて温風となり、再度回転ドラム４の背後よりその内部に還流することとなる。
【００１６】
回転ドラム４の回転軸心７は前方が高位となる傾斜状に設定してあり、そのため、回転ドラム４の前方部が本体１のなだらかな前部曲面上方に開口してある。加えて、回転ドラム４の開口部８は垂直に対して約３０度傾斜しており、これら要素によって回転ドラム４に対する衣類の出入を容易としている。
【００１７】
回転ドラム４の前方の開口部８は本体１に形成した衣類投入口９に連なっており、この衣類投入口９は蓋１０で開閉されるようにしてある。また、衣類投入口９の周縁は環状の化粧部材１１で覆われている。
【００１８】
本体１のなだらかな前部曲面右上には、各種スイッチ操作部、表示部などを配置した操作パネル１２がバヨネット機構により取り付けられている。バヨネット機構は、図４に示したように、操作パネル１２の裏側から突設したＬ字状の係止爪１３を本体１側に設けられた穴１４に差込み、本体１の一方向（図３における左方向）にスライドさせ、この穴１４の縁に係止することによって、操作パネル１２を本体１に取付けたものである。
【００１９】
図３において、操作パネル１２は本体１のなだらかな前部曲面右上にバヨネット機構により取付けられ、さらにその左側下方は化粧部材１１と円弧状に接合している。その接合の際、操作パネル１２と化粧部材１１との円弧状の接合部の両端間に円弧の頂点がくるように構成している。このように接合にすることによって、洗濯動作時の回転ドラム４の回転により振動が生じる場合においても、化粧部材１１の頂点一方向側（図３における頂点左側）の円弧により、係止爪１３は本体１の他方向（図３における右方向）即ち、バヨネット機構が解除される方向にスライドすることがない。そのため、操作パネル１２をネジ止めせずに、本体１に固定することができる。その結果、組立時の作業性を改善し、さらに低コスト化を図ることができる。
【００２０】
また、操作パネル１２と化粧部材１１との円弧状の接合部の両端間に円弧の頂点がくるように構成すると、バヨネット機構が解除される方向が本体１の一方あるいは他方いずれの場合に対しても、それぞれ化粧部材１１の頂点他方向側あるいは一方向側の円弧により、操作パネル１２のスライドを防ぐため、操作パネル１２のスライド方向が制限されない利点がある。
【００２１】
なお、バヨネット機構により操作パネル１２を本体１に取付ける際のスライド方向を他方向（図３における右方向）にした場合は、操作パネル１２と化粧部材１１の接合の際、操作パネルと化粧部材との円弧状の接合部の両端間に円弧の頂点がくるように構成してなくても良い。
【００２２】
このようにスライド方向を他方向（図３における右方向）にした場合、洗濯動作時の回転ドラム４の回転により振動が生じる場合においても、化粧部材１１の操作パネル１２接合側の円弧により、操作パネル１２は本体１の一方向（図３における左方向）、即ちバヨネット機構解除方向にスライドすることがなく、操作パネル１２をネジ止めせずに本体１に固定することができるからである。
【００２３】
また、回転ドラム４に傾斜を設けた場合には、操作パネル１２の分だけドラム式洗濯機の高さを低くでき、省スペース化が図れるという効果もある。回転ドラム４に傾斜を設けた場合には、構成上、衣類投入口９を本体１のなだらかな前部曲面上方に設けざるを得なくなる。その際、電子部品を裏に備えた操作パネル１２を衣類投入口９と重なるのを避け、衣類投入口９の上部に設けると、操作パネル１２の分だけ高さが高くなってしまう。
【００２４】
そこで、衣類投入口９の周縁を覆う環状の化粧部材１１と操作パネル１２を円弧状に接合することにより、操作パネル１２を衣類投入口９の上部側方に取付け、合理的に組み合わせることで、操作パネル１２の分だけドラム式洗濯機の高さを低くすることができ、省スペース化が図れる。
【００２５】
なお、Ｌ字状の係止爪１３を操作パネル１２側に、係止爪１３を差込む穴１４を本体１側に設けてバヨネット機構を構成するのではなく、係止爪１３を本体１側に、被係止部、例えば、リブを操作パネル１２側に設けてバヨネット機構を構成してもよい。
【産業上の利用可能性】
【００２６】
以上のように本発明に関わるドラム式洗濯機は、操作パネルと化粧部材を円弧状に接合することにより、洗濯動作時の回転ドラムの回転により振動が生じる場合においても、操作パネルは、化粧部材との円弧状の接合によりバヨネット機構解除方向にスライドすることが阻止されるため、ネジ止めを必要とせずに操作パネルを本体に固定することができるところから、例えば、洗濯機、乾燥機などへの利用が可能である。
【図面の簡単な説明】
【００２７】
【図１】本発明の実施例１を示すドラム式洗濯機の斜視図
【図２】同実施例１を示すドラム式洗濯機の断面図
【図３】同実施例１を示すドラム式洗濯機の要部平面図
【図４】（ａ）同実施例１を示すドラム式洗濯機のバヨネット機構のスライド前の要部断面図（ｂ）同実施例１を示すドラム式洗濯機のバヨネット機構のスライド後の要部断面図
【符号の説明】
【００２８】
１  本体
９  衣類投入口
１１  化粧部材
１２  操作パネル
【図１】
2005143793.tif 000003
【図２】
2005143793.tif 000004
【図３】
2005143793.tif 000005
【図４】
2005143793.tif 000006